(57)【要約】【解決する課題】本発明は、簡単に高さが調節できて、しかも高くした脚部が重い物体を乗せた場合でも、脚部が折損することなく安心して高さ調節が可能なテーブルを提供する。【解決する手段】外管と内管よりなる脚部の高さ調節機構であって、開口部を有する内管に台形のナット２０と台形の両斜面に整合する二枚の座金２１をボルトで螺着して、ボルトを締め付けて二枚の座金２１が台形のナット２０の斜面を利用して、ボルトとナットで内管を外管に固定すると共に、内管の開口部から座金２１が外管に圧接して外管に内管を固定するテーブル等の脚部の高さ調節機構とした。【選択図】図６
2006271580.tif 000002
【特許請求の範囲】
【請求項１】
外管と内管よりなる脚部の高さ調節機構であって、開口部を有する内管に台形のナットをボルトで螺着して、ボルトと台形のナットの間に台形の両斜面に整合する二枚の座金を装着して、ボルトを締め付けて二枚の座金がナットの台形の斜面を利用して外管壁に圧接して外管に内管を固定することを特徴とするテーブル等の脚部の高さ調節機構。
【請求項２】
内管の開口部は座金が外管に直接当接するための開口部であることを特徴とする請求項１に記載のテーブル等の脚部の高さ調節機構。
【請求項３】
座金がずれないように内管の開口部の上下内側は閉じられていることを特徴とする請求項１又は請求項２に記載のテーブル等の脚部の高さ調節機構。
【発明の詳細な説明】
【技術分野】
【０００１】
高さの調節が可能な机、テーブル、作業台等の高さを調節するために机、テーブル、作業台等の脚部に取着するテーブル等の脚部の高さ調節機構に関する。
【背景技術】
【０００２】
机、テーブル、作業台等は使用する人の条件や作業効率を上げるために身の丈にあった高さが望まれる。特に、作業台は長時間の作業に耐えられるように無理のない姿勢を取ることができる高さの作業台が望ましい。このような目的のために、以下に示すように種々のテーブル等の脚部伸縮機構が出願されている。
【０００３】
特許文献１には、「胴部の適所に雌ネジ穴を設けた脚本体と、上部に家具との連結部を設け、その内部には前記脚本体の外形に対応した形状の嵌合部を有し、かつ、その胴部には前記脚本体の雌ネジ穴に対応した位置に、適当長さの連結用長穴を設けた摺動体とを、該摺動体の嵌合部に前記脚本体を嵌合し、締結ボルトを摺動体の連結長穴を介して脚本体の雌ネジ穴に螺合し、適宜位置に固定してなる家具用伸縮脚」が開示されている。
【０００４】
特許文献２は、「出退可能に構成した内外筒体で伸縮脚本体を構成し、この内筒の上端部を天板支持部に連結するとともに、外筒の下端部を底蓋で閉塞し、この底蓋の底壁の一部を上向きに湾曲形成し、伸縮脚本体の内部に揺動・を縦向きに配置し、底蓋の内面に揺動・を垂直面内で揺動可能な状態で枢支し、揺動・の枢支個所より下側部分を底蓋の底壁に形成した湾曲部を貫通して外部に突出させることにより操作部に形成し、揺動枢支個所より上側部分に複数段のピン係合溝を平行に設け、この複数のピン係合溝の一端部を縦向きの連結溝で連結し、ピン係合溝及び連結溝を移動可能な状態で装着したピンを内筒の周側壁下端より部分に支持させ、このピンがピン係合溝の連結溝から遠い側の端部に位置するように揺動・をバネで付勢した家具脚の伸縮機構。」が開示されている。
【０００５】
特許文献３には、「テーブルの脚柱の高さを複数段階に調整しうる高さ調整式テーブルにおいて、脚柱が、パイプからなる脚柱本体と、該脚柱本体の下部を摺動自在に外嵌する外筒部と、外外筒部に固定された脚台とからなっており、脚柱本体内に、上部にラックを設け下部が脚台側に固定された作動・を摺動自在に内蔵し、脚柱の外側に設けた操作レバーの回転軸と同軸上で脚柱本体内部に上記ラックと噛合するピニオンを設け、操作レバーの回転でピニオンを介してラックを昇降させ脚柱本体を伸縮させて高さ調整を行うことを特徴とした高さ調節式テーブル。」が開示されている。
【０００６】
テーブルの高さを低・中・高位置の三段階に調節しうる高さ調節式テーブルにおいて、脚柱が、脚柱本体と、該脚柱本体の下部を摺動自在に外嵌する外筒部と、該外筒部に固定された脚台とからなっており、脚柱本体に、回転軸を脚柱本体内部に貫挿させた操作レバーを設けており、脚柱本体内部には、一端側が前記回転軸に連結され該回転軸を支点として回転する第１リンクと、該第１リンクの下方に上部が枢着され前記第１リンクの回転に連動して前記上部が相対的に前記回転軸の上または下に変位すると共に、第１リンクの回転で上下を反転しうる第２リンクと、該第２リンクの下部に上端が枢着され、下端が外筒部側の固定位置に枢着されて、前記第２リンクの変位に連動して枢動する第３リンクとを内蔵していることを特徴とする高さ調節式テーブル。」が開示されている。
【０００７】
上記のように、様々な方法でテーブルの高さを調節する脚部が考案されている。しかし、
【特許文献１】実開平６−５５４４５号公報
【特許文献２】特開平９−１２６４７８号公報
【特許文献３】特開２００２−３４５５６４号公報
【特許文献４】特開２００４−２５４８７１号公報
【発明の開示】
【発明が解決しようとする課題】
【０００８】
本発明は、簡単に高さが調節できて、しかも高くした脚部が重い物体を乗せた場合でも、脚部が折損することなく安心して高さ調節が可能なテーブルを提供することである。
【課題を解決するための手段】
【０００９】
上記課題を解決するために鋭意検討を重ねた結果、ボルトと台形のナットと台形の斜面に整合する座金を用いることにより、本目的を達成することができた。
【００１０】
本発明の特徴は、外管と内管よりなる脚部の高さ調節機構であって、開口部を有する内管に台形のナットをボルトで螺着して、ボルトと台形のナットの間に台形の両斜面に整合する二枚の座金を装着して、ボルトを締め付けて二枚の座金がナットの台形の斜面を利用して外管壁に圧接して外管に内管を固定することを特徴とするテーブル等の脚部の高さ調節機構である。開口部を有する内管に台形のナットとボルトを使用して、この台形の両斜面に整合する座金とでもって、外管内でボルトを締め付けると両斜面の座金がナットの台形の斜面を滑って外管の内壁に当接して、座金が内管を外管の内壁の両側面とボルトによって上部からの３方向から強く締め付けて外管に内管を固定することができる。
【００１１】
本発明の他の特徴は、内管の開口部は座金が外管に直接当接するための開口部であることを特徴とする請求項１に記載のテーブル等の脚部の高さ調節機構である。内管の台形のナットの斜面を利用して、座金で内管を外管に固定するために、座金が外管に直接当接するように開口部を設けて、座金で外管を圧接して内管を固定するようにした。この方法によって、従来の伸縮脚に比較してテーブルの耐荷重性が数倍上昇した。
【００１２】
本発明の他の特徴は、座金がずれないように内管の開口部の上下内側は閉じられていることを特徴とする請求項１又は請求項２に記載のテーブル等の脚部の高さ調節機構である。内管内に台形のナットとボルトの間に装着された座金が内管内でずれないように、開口部の内管の内側の上下の開口は閉じられた状態であって、ボルトを締めると座金が台形のナットの両斜面を滑って、座金が外管の左右の内壁を圧接して、外管に内管を固定する。
【発明の効果】
【００１３】
内管に台形のナットとボルトを使用して、この台形の両斜面に整合する座金とでもって、内管内に装着された台形のナットをボルトで外管内で締め付けると台形のナットの両斜面の座金が斜面を滑って外管の内壁に当接して、座金が外管の内壁に強く圧接して外管の内壁の両側面とボルトとナットが上部からの３方向から強く締め付けて外管に内管を固定することができる。
【００１４】
本発明のテーブル等の脚部の高さ調節機構では、ゴムで締め付けた場合には、テーブル上の荷重が３００Ｋｇまでが限度であったが、本方法ではテーブル上の荷重が１０００Ｋｇの荷重でも耐えることができるようになった。この結果、高さの調節が可能な作業台等に幅広く使用することができるようになった。
【発明を実施するための最良の形態】
【００１５】
本発明の実施の形態を図面を用いて以下に説明するが、本発明は以下の実施例に限定されるものではない。
【００１６】
図１は、本発明の作業テーブル等の脚部の高さ調節機構１００を作業テーブルに取り付けた例を示している。図１は作業テーブルの正面図に示す。本発明の脚部の高さ調節機構１００を着設した脚部は外管１３と内管１７とからなっている。外管１３には線状の溝１６が設けられており、線状の溝１６はボルト１９を取り付けた内管１７のボルト１９の頭部が突出して、ボルト１９が上下できる大きさの溝が掘られている。さらに、内管１７の底部には作業テーブルの高さを微調整できるように、ボルトとナットの付いた脚台１８が着設されている。
【００１７】
図２は、本発明の作業テーブル等の脚部の高さ調節機構１００を取り付けた作業テーブルの側面を示す図である。図２に示すように、外管１３のボルト１９が通る線状の溝１６は外管１３の内側に穿設され、そこからボルト１９の頭部が突出している。作業テーブルの高さを調節する場合はボルト１９を緩めて、線状の溝１６を上下させて、所望の位置でボルト１９を締めると作業テーブルの高さを固定することができる。
【００１８】
本発明の脚部の高さ調節機構１００は作業テーブル等に取着する内管と外管よりなる脚部とこの外管に穿設された線状の溝を通して内管に装着するボルトとこのボルトに着設するナットと座金よりなっている。図３は、本発明の脚部の高さ調節機構１００の脚部の一部を構成する外管の側面図（３−１）と正面図（３−２）を示している。脚部の外管の一方側は、図３−１に示すように何ら細工が施していない。外管の他方側は図３−２に示すように外管の中央部の少し上から、下に向けて縦に線状の溝１６が穿設されている。内管にナットとともに取り付けられたボルトの頭部がこの線状の溝１６を通して突出するようになる。作業テーブル等の高さを調節する時は、内管１７を外管１３の中を上下させると、この線状の溝１６から突出しているボルト１９が上下して、作業テーブル等を所望の高さに調節してボルト１９を締めるとその位置で固定される。外管１３の上部には天板１１を取り付けるための天板支持部１４がある。
【００１９】
図４は、作業テーブル等の脚部の高さ調節機構１００の脚部の内管１７の開口部２２を有する側の図（４−１）とボルト１９の着設された側の図（４−２）である。図（４−１）に示すように、脚部の内管１７の上部には台形の斜面を滑って座金の側面が突出して、外管１３に当接するように開口部２２が穿設されている。ボルト１９を締め付けると、この開口部２２から座金２１の側面が出てきて外管１３に圧接して、内管１７を外管１３に固定するようになっている。なお、開口部２２の上下は座金２１が上にずれたり、下に落ちないように開口部２２の上下の管口側は閉ざされている。また、内管１７の下部には脚台１８を装着するための脚台用ナット２４が着設されている。
【００２０】
図５は、内管１７の下部に装着した脚台１８の一例を示す斜視図である。図５に示すように、脚台１８にはボルトとナット２４が着設されており、このボルトとナット２４で作業テーブルの高さを微調整することができる。
【００２１】
図６は、脚部の高さ調節機構１００の内管１７を固定するために使用する台形のナット２０を一本のボルト１９で締め付けるための座金２１とナット２０の斜視図である。内管１７を外管１３に固定するためにボルト１９を締め付けてゆくと、ナット２０が締め付けられて引き上げられると同時に、座金２１がナット２０の斜面を滑るように外側に押しつけられて内管１７の開口部２２から外管１３を圧接する。このように本発明の脚部の高さ調節機構１００は、ボルト１９とナット２０で内管１７を外管１３に圧接固定すると共に、座金２１が台形のナット２０の両斜面を滑るようにして外管壁に圧接固定するので、三方向で内管１７を外管１３に固定するようになっている。
【００２２】
図７は、二本のボルト１９で内管１７を外管１３に圧接固定できるように二穴のボルト穴を有するナット２０とそれに使用する座金２１の斜視図である。二本のボルトで締め付けようとすると、ナット２０と座金２１が長くなるので、外管１３を圧接する力は強くなり、作業テーブル上に乗せる物の重量もより重い物まで耐えることができるようになる。本発明のテーブル等の脚部の高さ調節機構に用いる台形のナットを締め付けるボルトの数は１本、２本に限定されることなく、それ以上であってもよい。
【図面の簡単な説明】
【００２３】
【図１】本発明のテーブル等の脚部の高さ調節機構を取り付けた作業台の正面図である。
【図２】本発明のテーブル等の脚部の高さ調節機構を取り付けた作業台の側面図である。
【図３】脚部の外管の正面図と側面図である。
【図４】脚部の内管の正面図と側面図である。
【図５】脚台の一部の斜視図である。
【図６】一つのボルト穴を穿設したナットと座金の斜視図である。
【図７】二つのボルト穴を穿設したナットと座金の斜視図である。
【符号の説明】
【００２４】
１００：脚部の高さ調節機構
１１：天板
１２：サイド保護板
１３：外管
１４：天板支持部
１５：ネジ穴
１６：線状の溝
１７：内管
１８：脚台
１９：ボルト
２０：台形のナット
２１：座金
２２：開口部
２３：台形の斜面
２４：脚台用ナット
【図１】
2006271580.tif 000003
【図２】
2006271580.tif 000004
【図３】
2006271580.tif 000005
【図４】
2006271580.tif 000006
【図５】
2006271580.tif 000007
【図６】
2006271580.tif 000008
【図７】
2006271580.tif 000009